(57)【要約】【課題】部品の共通化，部品点数を削減してコストの低減が図れるように改良した遠方手動操作器の鎖錠機構を提供する。【解決手段】断路器等の開閉器を遠方から手動で閉極，開極操作する遠方手動操作器の鎖錠機構であって、操作ハンドル４，連結レバー５を軸支した操作器ベース３に、操作ハンドルの軸上に設けたロックカム６、先端をロックカム６のカム溝６ａに係合して操作ハンドル５を入，切位置に鎖錠するスライド式のロック棒７、および該ロック棒７に連係した釈放レバー９を設け、かつ前記ロック棒７はその軸の上端を操作器ベース３の前面側に張り出す庇状のロック棒支持ガイド８を貫通して案内支持したものにおいて、ロック棒７の軸に錠掛け穴７ｂを穿設し、ここに南京錠１１を直接掛け止めして釈放レバー９の誤操作による鎖錠機構の釈放を阻止する。【選択図】図１
2014063636.tif 000002
【特許請求の範囲】
【請求項１】
断路器等の開閉器を遠方から手動で閉開操作する遠方手動操作器の鎖錠機構であって、操作ハンドル，連結レバーを軸支した操作器ベースに、前記操作ハンドルの軸上に設けたロックカム、先端を前記ロックカムのカム溝に係合して操作ハンドルを入，切位置に鎖錠するスライド式のロック棒、および該ロック棒に連係した手動操作式の釈放レバーを設け、かつ前記ロック棒はその軸の一端を操作器ベースの前面側に張り出す庇状のロック棒支持ガイドを貫通して案内支持したものにおいて、
前記ロック棒の軸に、南京錠を直接掛けて該ロック棒を鎖錠位置に拘束保持させる錠掛け穴を穿設したことを特徴とする開閉器用遠方操作器の鎖錠機構。
【請求項２】
請求項１に記載の鎖錠機構において、ロック棒に穿設した錠掛け穴が、操作器ベースの前面に設けた庇状支持ガイドの近傍に位置を合わせて南京錠の掛け金を嵌挿する横向きの貫通穴であることを特徴とする開閉器用遠方操作器の鎖錠機構。
【発明の詳細な説明】
【技術分野】
【０００１】
本発明は、配電盤などの盤内に設置した断路器，負荷開閉器などに適用する遠方手動操作器の鎖錠機構に関する。
【背景技術】
【０００２】
まず、断路器などに適用して遠方からの手動操作で断路器を閉極，開極操作する遠方手動操作器の構成概要を図２に示す。図２において、１は断路器、１ａはブレード、１ｂはブレード１ａを閉極，開極位置に駆動する断路器本体の操作レバー、２は断路器１から離間して盤内の側壁面に据え付けた遠方手動操作器であり、該遠方手動操作器２は、ボックス形のフレーム構造になる操作器ベース３の前面に、回動式の操作ハンドル４，および該操作ハンドル４に連動する連結レバー５を設けた組立体で構成され、操作器の連結レバー５は連結棒５ａを介して断路器１の操作レバー１ｂに連結する。
【０００３】
上記構成になる遠方手動操作器２の機能，動作は周知の通りであり、操作ハンドル４を手動操作で“入”，“切”位置に回動すると、連結レバー５，連結棒５ａを介して断路器１のブレード１ａが閉極，開極位置に切換え操作される。
【０００４】
なお、図３に示した遠方手動操作器２は、盤内の右側壁面に据え付けて操作ハンドル４が手前に向くようにした右操作型（図３（ａ）の正面図で、操作ハンドル４を右側，連結レバー５を左側に位置）であるが、図４で示すように盤内の左側壁面に据え付けて使用する左操作型の機種もある。
【０００５】
一方、前記の遠方手動操作器２には、誤操作の防止機能として断路器１の閉極，または開極状態で操作器に設けた操作ハンドル４を機械的に鎖錠する鎖錠機構を備えており、次に従来の遠方手動操作器に装備した鎖錠機構の構造を図３（ａ），（ｂ）に示す。
【０００６】
すなわち、操作ハンドル４を取付けた操作器ベース３には、鎖錠機構として、ロックカム６、該ロックカム６に対向する上下スライド式のロック棒７、該ロック棒７の一端を案内支持するロック棒ガイド８、手動操作式の釈放レバー９、および釈放レバー９に併設した止め金具１０などの各部品が組み付けられている。
【０００７】
ここで、ロックカム６はハンドル軸４ａの軸上に嵌着された板カムであり、該ロックカム６の周縁には操作ハンドル４の“入”,“切”位置に対応するカム溝６ａが形成されている。なお、このロックカム６の周縁に対向して操作器ベース３の内側にストッパ３ａを備えて操作ハンドル４の回動範囲（約９０°）を規制するようにしている。
【０００８】
また、前記ロック棒７は、その軸先端（下端）をロックカム６の周縁に対峙させ、上端部を操作器ベース３の上部から前方へ庇状に張り出す断面Ｌ字形のロック棒ガイド片８に穿孔したガイド穴に貫通させて上下スライド可能に案内支持し、かつ図示しない付勢ばねによりロック棒７の先端をロックカム６に向けて押圧付勢しており、さらに該ロック棒７の軸中間部に植設したピン７ａに釈放レバー９の先端が連係している。なお、９ａは釈放レバー９の揺動支点となる軸支ボルトである。
【０００９】
上記の構成で、操作ハンドル４を“入”もしくは“切”位置に回動すると、ロック棒７の先端がロックカム６のカム溝６ｂに落ち込んで操作ハンドル４をこの位置に鎖錠する。
この状態から操作ハンドル４を切換えるには、まず、釈放レバー９に手を掛けて下方に押し下げる。これにより、釈放レバー９に連係したロック棒７が上方に移動してロックカム６のカム溝６ａから抜け出して操作ハンドル４を回動操作することが可能となる。
【００１０】
一方、前記の鎖錠機構を介して操作ハンドル４を“入”, “切”位置に鎖錠した状態では、誤操作で釈放レバー９が釈放位置に移動するのを阻止するために、従来構造では図３（ａ）のように釈放レバー９と止め金具１０に跨がって南京錠１１を掛け止めして、釈放レバー９を鎖錠位置に拘束保持するようにしている。
【発明の概要】
【発明が解決しようとする課題】
【００１１】
ところで、前記した遠方手動操作器の従来における鎖錠機構には次記のような課題がある。すなわち
（１）図３の構成では、操作器ベース３に対して釈放レバー９，および止め金具１０の基部はその背後の据え付け面１２に近接していることから、南京錠１１を掛けやすくするために、釈放レバー９，止め金具１０の先端部を図３（ｂ）で示すように、前方に向け “く”字形に曲げ加工を施しており、このために部品の曲げ加工が必要となる。
（２）そのほか、図３の右操作型と図４の左操作型は、釈放レバー９，止め金具１０の曲げ加工の向きが逆であり、このためにメーカーで右操作型専用と左操作型専用の部品を別々に製作する必要があって部品管理が煩雑となる。
【００１２】
本発明は上記の点に鑑みなされたものであり、その目的は前記課題を解決して右操作型，左操作型の機種に関係なく部品の共通化と併せて、部品点数を削減してコストの低減化が図れるように構造を改良した遠方手動操作器の鎖錠機構を提供することにある。
【課題を解決するための手段】
【００１３】
上記目的を達成するために、本発明によれば、断路器等の開閉器を遠方から手動で閉極，開極操作する遠方手動操作器の鎖錠機構であって、操作ハンドル，連結レバーを軸支した操作器ベースに、前記操作ハンドルの軸上に設けたロックカム、先端を前記ロックカムのカム溝に係合して操作ハンドルを入，切位置に鎖錠するスライド式のロック棒、および該ロック棒に連係した手動操作式の釈放レバーを設け、かつ前記ロック棒はその軸の一端を操作器ベースの前面側に張り出す庇状のロック棒支持ガイドを貫通して案内支持したものにおいて、
前記ロック棒の軸に錠掛け穴を穿設し、ここに南京錠を直接掛け止めしてロック棒を鎖錠位置に拘束保持させるようにする（請求項１）ものとし、
具体的には前記錠掛け穴を、操作器ベースの前面に設けた庇状支持ガイドの近傍に位置を合わせて、ロック棒の軸に南京錠の掛け金を嵌挿する横向きの貫通穴を穿設する（請求項２）。
【発明の効果】
【００１４】
上記構成によれば、遠方手動操作器の操作ハンドルを“入”，もしくは“切”位置にセットしてこの位置に鎖錠した状態で、ロック棒に穿設した錠掛け穴に南京錠を掛けることにより、釈放レバーに手を掛けて遠方手動操作器の鎖錠状態を釈放しようとしても、南京錠が庇状の支持ガイドに当たってロック棒がロックカムのカム溝から抜け出す方向への移動を阻止する。これにより、従来機構と同様に操作器の誤操作を確実に防止できる。
【００１５】
しかも、南京錠をロック棒の軸に直接掛け止めするようにしたことで、従来構造における釈放レバーの曲げ加工、および釈放レバーに併設した止め金具が不要となる。これにより、部品点数，組立工数を削減してコスト低減が図れる。そのほか、釈放レバーは右操作型，左操作型にも共通使用できるので、従来構造のようにハンドルの操作方向に合わせて二種類の部品の製作，管理が必要なくなる。
【図面の簡単な説明】
【００１６】
【図１】本発明の実施例による遠方手動操作器の構成図であって、（ａ），（ｂ），（ｃ）はそれぞれ正面図，側面図、および平面図である。
【図２】断路器に適用した遠方手動操作器の概要構成図である。
【図３】図２における遠方手動操作器（右操作型）の従来構造図であって、（ａ）は正面図、（ｂ）は平面図である。
【図４】図３とハンドル位置が異なる左操作型の遠方手動操作器の平面図である。
【発明を実施するための形態】
【００１７】
以下、本発明の実施の形態を図１（ａ）〜（ｃ）に示す実施例に基づいて説明する。
図示実施例の基本的な構造は図３に示した従来構造と同じであるが、釈放レバー９、および鎖錠機構への南京錠の掛け止め箇所が次記のように改良されている。
【００１８】
すなわち、釈放レバー９については、従来構造（図３，図４参照）のように“く”字形に曲げ加工を施さずに、右操作型，左操作型に共用可能な平板である。
また、南京錠１１については、その掛け止め箇所を従来の釈放レバー９からロック棒７に直接掛け止めするように変更して、従来構造（図３，図４参照）における止め金具１０を省略しており、ロック棒７の軸には南京錠１１の掛け金１１（通称“つる”）を通す錠掛け穴７ｂが穿設されている。この錠掛け穴７ｂは、操作器ベース３の上部から前方に張り出した庇状のロック棒ガイド８に対し、その下面側の近傍位置に合わせてロック棒７の軸に穿設した横向きの貫通穴である。
【００１９】
そして、図示のように操作ハンドル４を“入”，もしくは“切”位置にセットした遠方手動操作器２の鎖錠状態で、前記の錠掛け穴７ｂに南京錠１１を直接掛け止めすることにより、釈放レバー９を引き下ろしてロック棒７をロックカム６のカム溝６ａから抜き出そうとしても、南京錠１１の本体が前記のロック棒ガイド８の下面に当たってロック棒７の上方への移動が阻止される。これにより、図３に示した従来構造と同様に遠方手動操作器２の誤操作を確実に防ぐことができる。
【００２０】
しかも、図３，図４に示した従来構造と比べて、釈放レバー９に対する曲げ加工、およびこの釈放レバー９の背後に併設した止め金具１０が不要となり、これにより部品点数を削減してコストダウンが図れる。さらに、釈放レバー９は右操作型，左操作型の遠方手動操作器にも共通に使用できるので、機種によって異なる部品を管理する必要もなくなるなどの実益も得られる。
【符号の説明】
【００２１】
２    遠方手動操作器
３    操作器ベース
４    操作ハンドル
５    連結レバー
６    ロックカム
７    ロック棒
７ｂ  錠掛け穴
８    ロック棒ガイド
９    釈放レバー
１１    南京錠
【図１】
2014063636.tif 000003
【図２】
2014063636.tif 000004
【図３】
2014063636.tif 000005
【図４】
2014063636.tif 000006